(57)【要約】【課題】衝撃によってカバー部材が開放するのを防止すること。【解決手段】カバー部材２５は回転自在にかつスライド自在にベースインシュレータ１３に保持されており、前記ベースインシュレータ１３には、カバー部材２５が係合しロック状態とするロック部材３１と、弾性部材３７とが設けられており、前記ロック部材３１は前記カバー部材１３に係合するロック部３１ａを有し、前記弾性部材３１ａは前記カバー部材２５を前記ベースインシュレータ１３上から回転させることによって前記ベースインシュレータ１３上を開放する方向に付勢する当接部３７ａを有している。【選択図】図１
2005302334.tif 000002
【特許請求の範囲】
【請求項１】
カードと接続するカード用コネクタにおいて、導電性のコンタクトと、該コンタクトを保持したベースインシュレータと、前記カードを前記コンタクトに向けて押圧して接触するカバー部材とを備え、前記カバー部材は回転自在にかつスライド自在に前記ベースインシュレータに保持されており、前記ベースインシュレータには、カバー部材を前記ベースインシュレータ上へ回転させた後に前記カバー部材を第１のスライド方向へスライドさせることによってカバー部材が係合しロック状態とするロック部材と、弾性部材とが設けられており、前記ロック部材は前記カバー部材を前記第１のスライド方向とは逆向きの第２のスライド方向への移動を阻止するように前記カバー部材に係合するロック部と、接続対象物と接続する第１端子部とを有し、前記弾性部材は、前記カバー部材の接続部と接続し前記カバー部材を前記ベースインシュレータ上から回転させることによって前記ベースインシュレータ上を開放する方向に付勢する接触部と、前記接続対象物と接続する第２端子部を有していることを特徴とするカード用コネクタ。
【請求項２】
請求項１記載のカード用コネクタにおいて、前記カバー部材は一対の軸部を有し、前記ベースインシュレータは一対の軸受部を有し、前記弾性部材は前記カバー部材をロックした際に、前記軸部の一方と接続する第１接続部を前記軸受部の一方に有し、前記軸受部の一方は前記カバー部材を回転して開放した時に前記軸部の一方と接続する第２接続部を有し、該第２接続部は前記接続対象物と接続する第３端子部を有し、前記軸受部の他方は前記軸部の他方と接続する第３接続部を有し、該第３接続部は前記接続対象物と接続する第３端子部を有していることを特徴とするカード用コネクタ。
【発明の詳細な説明】
【技術分野】
【０００１】
本発明は、カードを接続対象物に接続するために用いるカード用コネクタに関する。
【背景技術】
【０００２】
従来のカードを接続するコネクタとしては、カバーによってカードをロックする接続装置が開示されている（たとえば、特許文献１を参照）。
【０００３】
また、従来のカードを接続するコネクタとしては、カバーレール部の一つのバネ片により端子間を接続する接続装置が開示されている（たとえば、特許文献２を参照）。
【０００４】
【特許文献１】米国特許第５，３２０，５５２号公報
【特許文献２】米国特許第５，７１８，６０９号公報
【発明の開示】
【発明が解決しようとする課題】
【０００５】
特許文献１は、カードを挿入する状態において、カバーのロックが不十分であり、衝撃の大きさ、方向によっては、カバーが開放されカードとの接続を維持できないという問題がある。
【０００６】
特許文献２は、カバーレール部の一つのバネ片により端子間を接続する構造であるが、この場合、回路上におけるグランド接続が一点となり、シールド効果が低く、ＥＭＩ対策としては不十分である。
【課題を解決するための手段】
【０００７】
本発明は、カードと接続するカード用コネクタにおいて、導電性のコンタクトと、該コンタクトを保持したベースインシュレータと、前記カードを前記コンタクトに向けて押圧して接触するカバー部材とを備え、前記カバー部材は回転自在にかつスライド自在に前記ベースインシュレータに保持されており、前記ベースインシュレータには、カバー部材を前記ベースインシュレータ上へ回転させた後に前記カバー部材を第１のスライド方向へスライドさせることによってカバー部材が係合しロック状態とするロック部材と、弾性部材とが設けられており、前記ロック部材は前記カバー部材を前記第１のスライド方向とは逆向きの第２のスライド方向への移動を阻止するように前記カバー部材に係合するロック部と、接続対象物と接続する第１端子部とを有し、前記弾性部材は、前記カバー部材の接続部と接続し前記カバー部材を前記ベースインシュレータ上から回転させることによって前記ベースインシュレータ上を開放する方向に付勢する接触部と、前記接続対象物と接続する第２端子部を有していることを特徴とするカード用コネクタであることを最も主要な特徴とする。
【発明の効果】
【０００８】
本発明によれば、ベースインシュレータのロック部材にカバー部材をロックすることによってカバー部材がスライド方向へ移動するのを阻止するため、落下などの激しい衝撃によってカバー部材が開放するのを防止することができるという利点がある。
【０００９】
また、ロック部材のロック部と、カバー部材の軸部及びこの軸部を保持する軸受部との構成により、カバー部材から接続対象物へ４点以上でグランド接続することが可能となる。
【００１０】
さらに、カバー部材をベースインシュレータにロックする構造と多数点でのグランド接続によりＥＭＩ対策ができ、カバー部材のロックの位置を検知するスイッチを構成することができる。
【発明を実施するための最良の形態】
【００１１】
本発明のカード用コネクタは、導電性のコンタクトと、該コンタクトを保持したベースインシュレータと、前記カードを前記コンタクトに向けて押圧して接触するカバー部材とを備え、前記カバー部材は回転自在にかつスライド自在に前記ベースインシュレータに保持されており、前記ベースインシュレータには、カバー部材を前記ベースインシュレータ上へ回転させた後に前記カバー部材を第１のスライド方向へスライドさせることによってカバー部材が係合しロック状態とするロック部材と、弾性部材とが設けられており、前記ロック部材は前記カバー部材を前記第１のスライド方向とは逆向きの第２のスライド方向への移動を阻止するように前記カバー部材に係合するロック部と、接続対象物と接続する第１端子部とを有し、前記弾性部材は、前記カバー部材の接続部と接続し前記カバー部材を前記ベースインシュレータ上から回転させることによって前記ベースインシュレータ上を開放する方向に付勢する接触部と、前記接続対象物と接続する第２端子部を有していることにより実現した。
【実施例１】
【００１２】
図１乃至図５は、カード用コネクタの実施例１を示している。図１乃至図５を参照して、カード用コネクタは、複数本からなる導電性のコンタクト１１，１２と、これらのコンタクト１１，１２を保持している略板形状のベースインシュレータ１３と、カード２１（図３を参照）をコンタクト１１，１２に向けて押圧して接触するカバー部材２５とを備えている。
【００１３】
以下、図６乃至図８に示したコンタクト１１，１２を保持しているベースインシュレータ１３をも参照して説明する。コンタクト１１及びコンタクト１２は、コンタクト１１及びコンタクト１２同士の先端が対向するようにかつベースインシュレータ１３に並列に間隔をもって配列されている。コンタクト１１，１２は、ベースインシュレータ１３の一面上に位置している接触部１１ａ，１２ａと、端子部１１ｂ，１２ｂとを有している。
【００１４】
接触部１１ａ，１２ａは、ベースインシュレータ１３上にカード２１が設けられたときに、ベースインシュレータ１３の一面に対向させて設けられるカード２１の接点部２１ａにそれぞれ接触する。
【００１５】
ベースインシュレータ１３には、カバー部材２５が回転自在にかつベースインシュレータ１３に対してスライド自在に保持されている。ベースインシュレータ１３には、カバー部材２５が係合してロック状態とするロック部材３１と、カバー部材２５を開放する方向（図３の矢印II方向）にテンションをかける弾性部材３７と、カード２１を受容するように第１及び第２のスライド方向Ａ、Ｂ（図３を参照）の両側に形成されているカードガイド部１３ｅ，１３ｆとが設けられている。
【００１６】
ベースインシュレータ１３には、カバー部材２５をベースインシュレータ１３上でカード２１を挟み込むように閉じる方向（図３の矢印Ｉ方向）へ回転させた後にカバー部材２５を第１のスライド方向Ａ（図３を参照）へスライドさせることによってカバー部材２５が係合してロック部材３１にロックする。
【００１７】
ロック部材３１は金属片によって作られている。弾性部材３７は、弾性を有する長板形状のバネ片であり、カバー部材２５と接続してカバー部材２５をベースインシュレータ１３上から回転（図３の矢印II方向）させることによってベースインシュレータ１３上を開放する方向に付勢する当接部３７ａと、接続対象物５１と接続する第２端子部３７ｂとを有している。
【００１８】
さらに、図９及び図１０にも示すように、ベースインシュレータ１３の第２のスライド方向ＩＩにおける前方側には、長穴形状の一対の軸受部１３ｇが形成されている。
【００１９】
弾性部材３７は、図１１にも示すように、カバー部材２５をロックした際に、カバー部材２５に設けられている一対の軸部２５ｄの一方と接続する第１接続部３７ｅを軸受部１３ｇの一方に有している。
【００２０】
軸受部１３ｇの一方は、カバー部材２５を図３に示した矢印II方向へ回転して開放した時に軸部２５ｄの一方と接続する第２接続部２５ｅを有している。第２接続部２５ｅは、接続対象物５１と接続する第３端子部２５ｆを有している。
【００２１】
軸受部１３ｇの他方は、軸部２５ｅの他方と接続する第３接続部１３ｊを有している。第３接続部１３ｊは、接続対象物５１と接続する第３端子部１３ｍを有している。
【００２２】
ベースインシュレータ１３の軸受部１３ｇは、カバー部材２５の軸部２５ｄを保持する。軸受部１３ｇは、図１０及び図１１に示すように、その側壁に少なくとも一つ以上の金属片４１をもち、その一端部がロック時及び開放時時にカバー部材２５の軸部２５ｄの接点部２５ｐに電気的に接続し、他端が接続対象物５１に半田付けされるための端子部をもつ。
【００２３】
金属片４１はカバー部材２５の接続部を略側面Ｌ字形にもしくはコの字形とし，少なくとも二点以上のカバー部材２５と接点部２５ｐをもつ。金属片４１は、その配置の組み合わせによりカバー部材２５の位置（ロック位置又は開放位置）を検出するスイッチとなる。
【００２４】
端子部１１ｂと並行になるようにベースインシュレータ１３に設けられている第３端子部１３ｍ，２５ｆは、ロック時において弾性部材３７に接続されていないことによってスイッチがＯＦＦとなる。また、カバー部材２５が開放しているときには、第３端子部１３ｍ，２５ｆが弾性部材３７に接続されることによってスイッチがＯＮとなる。
【００２５】
ロック部材３１は、カバー部材２５をスライド方向にロックする爪形状のロック部３１ａと接続対象物５１と接続する第１端子部３１ｂとを有している。
【００２６】
ロック部３１ａは、カバー部材２５を第１のスライド方向Ａとは逆向きの第２のスライド方向Ｂ（図３を参照）への移動を阻止するようにカバー部材２５に係合する。第１端子部３１ｂは、接続対象物５１（図２を参照）と半田によってグランド接続する。
【００２７】
なお、この実施例における接続対象物５１は、プリント回路基板である。また、接続対象物５１としては、ＦＰＣ（フレキシブル・プリンテッド・サーキット）であってもよい。
【００２８】
カバー部材２５は、導電板によって形成されており、図１２乃至図１６にも示すように、一体成型された軸部２５ｄと、カード２１を入れるレール部２５ｍ，２５ｎと、レール部２５ｍ，２５ｎの一部にベースインシュレータ１３にロック固定されるための両外側または内側に張り出したフランジ形状のロック受部２５ａを具備する。ロック受部２５ａには、ロック穴２５ｇが形成されている。
【００２９】
カバー部材２５を閉じる方向へ回転させた後、カバー部材２５を第１のスライド方向Ｉへスライドさせることによってカバー部材２５のロック穴２５ｇとロック部材３１のロック部３１ａとが係合しロックされる。この状態は、図１及び図２に示したとおりである。なお、図１７は、カバー部材２５の軸部２５ｄがレール部２５ｎに当接している状態を示している。
【００３０】
図１８乃至図２０は、図１及び図２に示したロック状態からカバー部材２５を開放する過程を示している。ロック状態からカバー部材２５を開放するには、図１８に示したカバー部材２５のロック受部２５ａのロック穴２５ｇとロック部１のロック部３１ａとが係合しロックされている状態から、図１９に示すように、カバー部材１３を押圧すると、カバー部材１３のロック受部２５ａのロック穴２５ｇからロック部材３１のロック部３１ａの係合が外れる。その後、図２０に示したように、カバー部材１３を第２のスライド方向ＩＩへ少し移動させることによってロック状態からカバー部材２５を開放することができる。
【産業上の利用可能性】
【００３１】
本発明は、チップカード、ＩＣカード、ＳＩＭカードなどとの接続に用いるコネクタとして適用できる。
【図面の簡単な説明】
【００３２】
【図１】本発明のカード用コネクタを示す平面図である（実施例１）。
【図２】図１に示したカード用コネクタの正面図である。
【図３】図１に示したカード用コネクタとカードとを示し、カバー部材の回動を説明するための正面図である。
【図４】図１に示したカード用コネクタの右側面図である。
【図５】図１に示したカード用コネクタの裏面図である。
【図６】図１に示したカード用コネクタの正面図である。
【図７】図１に示したカード用コネクタのベースインシュレータ及びコンタクトを示した正面図である。
【図８】図７に示したベースインシュレータ及びコンタクトを示した正面図である。
【図９】図７に示したベースインシュレータ及びコンタクトの一部を拡大して示した断面図である。
【図１０】図７に示したベースインシュレータの軸部を拡大して示した断面図である。
【図１１】図７に示したベースインシュレータの軸受部内の金属片とカバー部材の軸部との係合状態を示す要部のみの拡大図である。
【図１２】図1に示したカバー部材を示した平面図である。
【図１３】図１２に示したカバー部材を示した正面図である。
【図１４】図1２に示したカバー部材の右側面図である。
【図１５】図1２に示したカバー部材の左側面図である。
【図１６】図1２に示したカバー部材の裏面図である。
【図１７】図1２に示したカバー部材の接触を説明するための説明図である。
【図１８】図３に示したベースインシュレータとカバー部材とのロック状態を拡大して一部を示した正面図である。
【図１９】図１８に示したカバー部材のロック状態を解除する途中の状態を示した正面図である。
【図２０】図１９に示したカバー部材のロック状態を解除する途中の状態かカバー部材をスライドした状態を示した正面図である。
【符号の説明】
【００３３】
１１，１２    コンタクト
１１ａ，１２ｂ    接触部
１３    ベースインシュレータ
１３ｅ，１３ｆ    カードガイド部
１３ｇ    軸受部
１３ｊ    第３接続部
１３ｍ    第３端子部
２１    カード
２５ｆ    端子部
２５    カバー部材
２５ａ    ロック受部
２５ｄ    軸部
２５ｅ    第２接続部
２５ｆ    第３端子部
２５ｇ    ロック穴
２５ｍ，２５ｎ    レール部
２５ｐ    接点部
３１    ロック部材
３１ａ    ロック部
３７    弾性部材
３７ａ    当接部
３７ｂ    第２端子部
３７ｅ    第１接続部
４１    金属片
５１    接続対象物
【図１】
2005302334.tif 000003
【図２】
2005302334.tif 000004
【図３】
2005302334.tif 000005
【図４】
2005302334.tif 000006
【図５】
2005302334.tif 000007
【図６】
2005302334.tif 000008
【図７】
2005302334.tif 000009
【図８】
2005302334.tif 000010
【図９】
2005302334.tif 000011
【図１０】
2005302334.tif 000012
【図１１】
2005302334.tif 000013
【図１２】
2005302334.tif 000014
【図１３】
2005302334.tif 000015
【図１４】
2005302334.tif 000016
【図１５】
2005302334.tif 000017
【図１６】
2005302334.tif 000018
【図１７】
2005302334.tif 000019
【図１８】
2005302334.tif 000020
【図１９】
2005302334.tif 000021
【図２０】
2005302334.tif 000022